(57)【特許請求の範囲】
【請求項１】
記録及び／又は再生用の第１の開口部が形成されたカートリッジ本体と、
上記カートリッジ本体内に回転可能に収納されると共にディスクを収納し、該収納したディスクを外部に臨ませる上記第１の開口部に対応した第２の開口部が形成されたローテーションホイールと、
上記カートリッジ本体の底面と上記ローテーションホイールとの間に位置して、上記ローテーションホイールの回転に連動して上記第１の開口部と上記第２の開口部とが一致したとき、上記第１の開口部と上記第２の開口部とを開放するシャッタ機構と、
上記カートリッジ本体の内側に回動可能に取り付けられる軸部と、上記ローテーションホイールの外周側に形成された係合凹部に係合して、上記ローテーションホイールを、上記シャッタ機構が第１の開口部を閉塞した位置でロックするロック部と、該ロック部が上記係合凹部に係合した状態を解除するロック解除部とを有するロック部材と、
上記軸部で上記カートリッジ本体に回動可能に取り付けられた上記ロック部材を、上記ロック部が上記ローテーションホイールの係合凹部に係合する方向に付勢する付勢部材とを備え、
上記付勢部材は、上記カートリッジ本体の内面に形成された取付ピンに巻挿されるコイル部と、該コイル部の両側に形成された第１のアーム部と第２のアーム部とを有し、該第１のアーム部と該第２のアーム部とを互いに離間する開方向に付勢し、上記第１のアーム部の端部が上記ロック部材に係止されると共に、上記第２のアームの端部が上記カートリッジ本体の立ち上がり壁に係止されることによって、上記ロック部材を、上記ロック部が上記ローテーションホイールの係合凹部に係合する方向に付勢し、
上記ロック部材が上記カートリッジ本体の内側に取り付けられる前において、上記コイル部が上記取付ピンに巻挿されると、上記第２のアームの端部が上記カートリッジ本体の立ち上がり壁に突き当てられ、
上記カートリッジ本体の立ち上がり壁の上記第１のアーム部の端部が突き当たる別の位置には、上記第１のアーム部の端部との間に間隙を形成する突起部が形成されているディスクカートリッジ。
【発明の詳細な説明】
【技術分野】
【０００１】
本発明は、記録媒体となるディスクの一部を外部に臨ませる開口部を開閉するシャッタを、開口部を閉塞した状態にロックする機構を備えたディスクカートリッジに関する。
【背景技術】
【０００２】
特許文献１には、記録及び／又は再生用の第１の開口部が形成され、記録及び／又は再生装置への挿入端側となる前面が略円弧に形成されたカートリッジ本体と、このカートリッジ本体内に回転可能に収納されると共に光ディスクを収納し、収納した光ディスクを外部に臨ませるカートリッジ本体の第１の開口部に対応した第２の開口部が形成されたローテーションホイールと、カートリッジ本体の底面とローテーションホイールとの間に位置して、上記ローテーションホイールの回転に連動して回動し、第１の開口部と上記第２の開口部とが一致したとき、上記第１の開口部と上記第２の開口部とを開放する一対のシャッタ板とを備えたディスクカートリッジが記載されている。このディスクカートリッジは、更に、ローテーションホイールの回転をロックすることによって、一対のシャッタ板が第１及び第２の開口部を閉塞した状態にロックするロック機構が設けられている。
【０００３】
このロック機構は、ローテーションホイールをロックするロック部材を有している。このロック部材は、カートリッジ本体を構成する下シェルの内面に形成された支軸に回動可能に取り付けられ、ローテーションホイールの外周部に形成された係合凹部に係合するロック部が形成されている。ロック部材は、トーションバネによって、ロック部がローテーションホイールの係合凹部に係合する方向に回動付勢されている。このトーションバネは、一端部がロック部材に係止され、他端部が下シェルの外周壁に係止されることによって、ロック部材をローテーションホイールの外周部に形成された係合凹部に係合する方向に回動付勢している。これによって、シャッタ部材が不用意に開きにくくなり、カートリッジ本体の内部に収納している光ディスクに塵埃等の異物を付着しにくくし、記録及び／又は再生エラーの発生を防止するようにしている。
【０００４】
この特許文献１のディスクカートリッジは、下シェルの記録及び／又は再生装置への挿入端側の外周壁とカートリッジ本体の記録及び／又は再生装置への挿入方向と同じ方向の側面を構成する外周壁とローテーションホイールの外周壁との囲まれた狭い空間部にロック部材を配設し、更に、このロック部材を、ロック部がローテーションホイールの係合凹部に係合する方向に回動付勢するトーションバネを配設する必要がある。特許文献１の例では、トーションバネを所定の場所に配置した後、トーションバネの上側からロック部材を所定位置に配置する。このため、ロック部材を所定位置に配置するときには、このトーションバネの一端部を付勢力に抗して内側に戻し、ロック部材に係止させる係止工程が必要となる。したがって、組立工程としては、最初に所定位置には位置されたトーションバネの他端部を捕集する捕集工程が係止工程の前段で必要となる。しかしながら、この捕集工程は、下シェルの記録及び／又は再生装置への挿入端側の外周壁とカートリッジ本体の記録及び／又は再生装置への挿入方向と同じ方向の側面を構成する外周壁とローテーションホイールの外周壁との囲まれた狭い空間部で行う必要がある。また、トーションバネの一端部は、下シェルの記録及び／又は再生装置への挿入端側の外周壁に密着した状態となっており、捕集しにくい状態となっている。したがって、トーションバネの一端部の捕集工程は、精密さを必要とし煩雑なものとなり、生産性の向上を図ることが困難となっていた。
【０００５】
【特許文献１】特開平２００５−７８６７５号公報
【発明の開示】
【発明が解決しようとする課題】
【０００６】
本発明は、以上のような問題点に鑑みてなされたものであり、その目的は、ローテーションホイールの回転をロックするロック部材をロック方向に回動付勢する付勢部材の組立作業を簡素化し、生産性の向上を図ることができるディスクカートリッジを提供することにある。
【課題を解決するための手段】
【０００７】
本発明に係るディスクカートリッジは、  記録及び／又は再生用の第１の開口部が形成されたカートリッジ本体と、上記カートリッジ本体内に回転可能に収納されると共にディスクを収納し、該収納したディスクを外部に臨ませる上記第１の開口部に対応した第２の開口部が形成されたローテーションホイールと、上記カートリッジ本体の底面と上記ローテーションホイールとの間に位置して、上記ローテーションホイールの回転に連動して上記第１の開口部と上記第２の開口部とが一致したとき、上記第１の開口部と上記第２の開口部とを開放するシャッタ機構と、上記カートリッジ本体の内側に回動可能に取り付けられる軸部と、上記ローテーションホイールの外周側に形成された係合凹部に係合して、上記ローテーションホイールを、上記シャッタ機構が第１の開口部を閉塞した位置でロックするロック部と、該ロック部が上記係合凹部に係合した状態を解除するロック解除部とを有するロック部材と、上記軸部で上記カートリッジ本体に回動可能に取り付けられた上記ロック部材を、上記ロック部が上記ローテーションホイールの係合凹部に係合する方向に付勢する付勢部材とを備える。上記付勢部材は、上記カートリッジ本体の内面に形成された取付ピンに巻挿されるコイル部と、該コイル部の両側に形成された第１のアーム部と第２のアーム部とを有し、該第１のアーム部と該第２のアーム部とを互いに離間する開方向に付勢し、上記第１のアーム部の端部が上記ロック部材に係止されると共に、上記第２のアームの端部が上記カートリッジ本体の立ち上がり壁に係止されることによって、上記ロック部材を、上記ロック部が上記ローテーションホイールの係合凹部に係合する方向に付勢する。上記ロック部材が上記カートリッジ本体の内側に取り付けられる前において、上記コイル部が上記取付ピンに巻挿されると、上記第２のアームの端部が上記カートリッジ本体の立ち上がり壁に突き当てられ、上記カートリッジ本体の立ち上がり壁の上記第１のアーム部の端部が突き当たる別の位置には、上記第１のアーム部の端部との間に間隙を形成する突起部が形成されている。
【発明の効果】
【０００８】
本発明によれば、カートリッジ本体の立ち上がり壁であって付勢部材の他端部の回動方向と交わる位置に突起部が形成されていることから、この立ち上がり壁と付勢部材の一端部との間に間隙が形成されることになり、この間隙によって、付勢部材の他端部の補修作業が容易となり、ディスクカートリッジの生産性の向上を図ることができる。
【発明を実施するための最良の形態】
【０００９】
以下、本発明が適用されたディスクカートリッジについて、図面を参照して説明する。本発明を適用したディスクカートリッジは、上述した特許文献１に示した標準的大きさのディスクカートリッジの記録及び／又は再生装置にも装着可能なディスクカートリッジである。特許文献１のディスクカートリッジは、直径略１２ｃｍの光ディスクを記録媒体に用いるのに対して、本発明を適用したディスクカートリッジは、上述した特許文献２に相当し、標準的大きさのディスクカートリッジの光ディスクより小径、例えば８ｃｍの光ディスクを記録媒体に用いる。本発明を適用したディスクカートリッジは、特許文献１のディスクカートリッジに比べて小径の光ディスクを用い小型であるから、記録容量は標準的大きさのディスクカートリッジに比べ小さいものの、携帯性に優れている。
【００１０】
図１乃至図３に示すように、本発明を適用したディスクカートリッジ１は、カートリッジ本体２の内部に、光ディスク３が収納されるローテーションホイール４と、シャッタ機構となる一対のシャッタ板５ａ，５ｂとを収納してなる。このカートリッジ本体２は、互いに組み合わされる一組の上シェル６と下シェル７とを付き合わせて構成されている。
【００１１】
このディスクカートリッジ１に用いられる光ディスク３は、中心部に、記録及び／又は再生装置側のディスク回転駆動機構が係合されるセンタ孔３ａが形成されている。なお、光ディスク３としては、記録する情報信号に対応したピットパターンがディスク基板に形成された再生専用の光ディスクであっても良く、また、記録層に相変化材料を用いる書換型光ディスクであっても良く、更に、記録層に有機色素材料等を用いる追記型の光ディスクであっても良い。更に、使用される記録媒体としては、光ディスクの他、光磁気ディスク、磁気ディスク等であっても良い。また、記録媒体に代わってクリーニングディスクであっても良い。
【００１２】
カートリッジ本体２を構成する上シェル６は、図４に示すように、樹脂材料を射出成形することにより形成されている。この上シェル６は、全体略矩形状の主面の内、記録及び／又は再生装置への挿入端側となる前面が略円弧形状とされている。また、この上シェル６には、カートリッジ本体２の側面をなす外周壁８が主面の外周縁部に沿って立設されている。
【００１３】
外周壁８及び外周壁８に内接する内周壁１１には、前面側の中央部に位置して、記録及び／又は再生装置側の光ピックアップを進入させるためのピックアップ進入用凹部９が形成されている。また、外周壁８には、下シェル７と結合するためのねじ穴を形成した複数のボス１０が例えば各コーナ部近傍に形成されている。
【００１４】
内周壁１１は、内側にローテーションホイール４が回転可能に収納され、ローテーションホイール４が回転するときのガイド壁として機能する。また、上シェル６の主面部は、ローテーションホイール４が収納されたとき、ローテーションホイール４とでディスク収納部を構成する。
【００１５】
上シェル６の内面略中央部には、記録及び／又は再生装置側のディスク回転駆動部を構成するディスクテーブルと共に光ディスク３を挟持するクランピングプレート１３が取り付けられている。このクランピングプレート１３は、取付リング１３ａによって取り付けられる。具体的に、クランピングプレート１３は、取付リング１３ａと上シェル６の内面略中央部とで挟み込むようにし、取付リング１３ａを上シェル６の内面略中央部に溶着等により固定することによって取り付けられる。光ディスク３は、センタ孔３ａにディスクテーブルが係合し、更にディスクテーブルとクランピングプレート１３で挟持されることにより、ディスク収納部内で回転可能な状態となる。
【００１６】
なお、上シェル６の内面には、更に、後述する下シェル７のロケーションホール２６ａを構成する立ち上がり壁１６ａやアライメントホール２６ｂを構成する立ち上がり壁１６ｂが形成されている。
【００１７】
以上のように構成される上シェル６に結合される下シェル７は、図２、図３及び図５に示すように、上述した上シェル６と同様に、樹脂材料を射出成形することにより形成されている。この下シェル７は、全体略矩形状の主面の内、記録及び／又は再生装置に挿入される前面側が略円弧形状とされている。この下シェル７には、カートリッジ本体２の側面をなす外周壁２１が主面の外周縁に沿って立設され、更に、外周壁２１に内接するように、内周壁２８が形成されている。
【００１８】
この下シェル７には、外周壁２１の前面側の中央部が光ピックアップやディスクテーブルが進入できるように開放された第１の開口部２４が形成されている。この第１の開口部２４は、前面側の開放端から光ディスク３の信号記録面の一部を内外周に亘って外方へ臨ませる略矩形状の光ピックアップ用開口部２４ａと、光ピックアップ用開口部２４ａと連続した光ディスク３のセンタ孔３ａを外部に臨ませる回転駆動用開口部２４ｂとから構成されている。すなわち、記録再生用開口部２４ａは、記録及び／又は再生装置の光ピックアップをカートリッジ本体２の内部に進入させるのに足る大きさに形成されており、回転駆動用開口部２４ｂは、記録及び／又は再生装置のディスク回転駆動機構を構成するディスクテーブルをカートリッジ本体２の内部へと進入させるのに足る大きさに形成されている。更に、光ピックアップ用開口部２４ｂの一方の開口端側は、開口端が拡幅する方向に傾斜するテーパ部２４ｃが形成されている。このテーパ部２４ｃは、後述するローテーションホイール４の被操作部４５がシャッタ板５ａ，５ｂが第１の開口部２４を開放した状態に位置したとき、被操作部４５が収容される部分となる。
【００１９】
第１の開口部２４を構成する記録再生用開口部２４ａの一方の側縁部及び駆動用開口部２４ｂの一方の側縁には、一対のシャッタ板５ａ，５ｂが第１の開口部２４を閉塞しているとき、カートリッジ本体２内に塵埃等が侵入することを防止する凸部２７が複数形成されている。
【００２０】
外周壁２１の背面側には、上述した上シェル６側のねじ穴が形成されたボス１０に付き合わされる貫通孔が形成されたボス２２が形成されている。図２に示すように、上シェル６と下シェル７とは、下シェル７のボス２２の貫通孔よりねじ２３を挿通し、上シェル６のボス１０のねじ穴に螺合することによって結合される。
【００２１】
更に、下シェル７の前面には、両脇に、ディスクカートリッジ１を記録及び／又は再生装置に挿入される際に記録及び／又は再生装置側の挿入ガイド部材となる挿入ガイドピン１００が係合する挿入ガイド溝２５ａ，２５ｂが形成されている。具体的に、挿入ガイド溝２５ａ，２５ｂは、図６に示すように、記録及び／又は再生装置への挿入端となる前面と下シェル７で構成されたカートリッジ本体２の底面を開口し、カートリッジ本体２の前面から背面側に向かってカートリッジ本体２の底面に形成された溝部である。また、挿入ガイド溝２５ａ，２５ｂは、前面開口端側が最も幅広に形成され、挿入ガイドピン１００が進入し易く形成されている。
【００２２】
更に、少なくとも挿入ガイド溝２５ａは、最奥部が挿入ガイドピン１００の太さと略同じになるように形成し、装着面内の互いに直交するＸ方向及びＹ方向の移動を規制する。また、他方の挿入ガイド溝２５ｂは、挿入ガイドピン１００よりやや幅広に形成される。挿入ガイドピン１００よりやや幅広の挿入ガイド溝２５ｂは、最奥部に挿入ガイドピン１００が突き当たると、挿入ガイド溝２５ａと共同して装着面内における回転方向の規制をする。なお、挿入ガイド溝２５ｂも少なくとも最奥部が挿入ガイドピン１００太さと略同じになるように形成し、より確実に記録及び／又は再生装置の装着部において確実な位置決めを行うことができるようにしても良い。このような挿入ガイド溝２５ａ，２５ｂは、後述のロケーションホール２６ａやアライメントホール２６ｂを用いることなく、記録及び／又は再生装置の装着部に位置決めして装着することができるようにしている。
【００２３】
挿入ガイド溝２５ａは、記録フォーマット等を異にする略同形状のディスクカートリッジとの識別部としても機能する。例えば、ディスクカートリッジ１を放送局等で使用する業務用とし、このディスクカートリッジ１と記録フォーマット等を異にするが外形係形状を略同じにするディスクカートリッジを民生用としたとき、業務用のディスクカートリッジ１にのみ挿入ガイド溝２５ａを設けるようにし、民生用のディスクカートリッジには設けないようにする。これにより、業務用のディスクカートリッジ１の記録及び／又は再生装置では、挿入ガイド溝２５ａの有無によってディスクカートリッジの種類を識別することができると共に、誤って民生用のディスクカートリッジが挿入されたときには、挿入ガイド溝２５ａ用の挿入ガイドピン１００によって誤挿入を防止することができる。
【００２４】
すなわち、以上のような挿入ガイド溝２５ａ，２５ｂは、記録及び／又は再生装置への挿入時における挿入ガイド機能、外形形状や大きさを同じくしながら記録フォーマットを異にするディスクカートリッジとの識別機能、更には、記録及び／又は再生装置の装着部での位置決め機能等を有した多機能の溝部となっている。
【００２５】
更に、下シェル７の背面側の一方のコーナ部近傍には、図２及び図５に示すように、ディスクカートリッジ１を記録及び／又は再生装置に位置決めして装着するための基準穴となるロケーションホール２６ａが形成されている。また、他方のコーナ部近傍には、調整用のアライメントホール２６ｂが形成されている。
【００２６】
なお、上シェル６と下シェル７とが付き合わされて構成されたカートリッジ本体２の記録及び／又は再生装置への挿入方向と平行な両側面部には、図１及び図２に示すように、前面側から背面側に亘って、記録及び／又は再生装置へ挿入する際のガイド溝１５ａ，１５ｂが形成されている。
【００２７】
上シェル６と下シェル７とが付き合わされると、内周壁１１の内側にローテーションホイール４を収納する収納部が構成される。この収納部に収納されるローテーションホイール４は、図７及び図８に示すように、樹脂材料を射出成形することにより形成されている。このローテーションホイール４の主面部は、略皿状をなし、凹部側がカートリッジ本体２内に配設されたとき、上シェル６とシャッタ板５ａ，５ｂの一方の主面とでディスク収納部を構成する。このローテーションホイール４は、略円形に形成されており、その外周縁部には、リング部４３が立設されている。ローテーションホイール４の主面部には、下シェル７に設けられた第１の開口部２４と略同じ大きさの第２の開口部４４が形成されている。
【００２８】
この第２の開口部４４は、下シェル７の第１の開口部２４と一致したとき、収納した光ディスク３を外部に臨ませる。すなわち、この第２の開口部４４は、第１の開口部２４の光ピックアップ用開口部２４ａに対応した開口部と回転駆動用開口部２４ｂに対応した開口部で構成されている。
【００２９】
また、リング部４３の基端部は、図７に示すように、主面部側へ傾斜するテーパ部４２が形成されている。テーパ部４２は、光ディスク３の外周縁を線接触で支持し、光ディスク３の信号記録面がローテーションホイール４の主面部と面接触し、傷が付かないようにしている。
【００３０】
ローテーションホイール４の第２の開口部４４近傍には、図７及び図８に示すように、外側に突出して、記録及び／又は再生装置側のシャッタ開放機構のシャッタ開放部材を構成するシャッタ開放ピン４１が係合する被操作部４５が形成されている。被操作部４５は、第１の被操作片４５ａと第２の被操作片４５ｂとにより記録及び／又は再生装置側を開放した凹部を構成しており、ここに、記録及び／又は再生装置側のシャッタ開放ピン４１が係合される。被操作部４５は、ローテーションホイール４の回転に伴って、第１の開口部２４が形成された下シェル７の前面より外部に露出し、第１の開口部２４の幅方向に移動する。被操作部３４は、シャッタ板５ａ，５ｂが第１の開口部２４を開放しているとき、テーパ部２４ｃにより拡幅された部分に位置する。
【００３１】
また、ローテーションホイール４と下シェル７との間には、一対のシャッタ板５ａ，５ｂが配設される。そこで、ローテーションホイール４のシャッタ板５ａ，５ｂが配設される面には、図８に示すように、シャッタ板５ａ，５ｂとの接触面積を減らし、摺動抵抗を減らすための突部４６が複数形成されている。突部４６は、例えば２０μｍ程度突出して形成されている。
【００３２】
以上のようなローテーションホイール４は、図８に示すように、コイルバネ等で構成された付勢部材４８によって、シャッタ板５ａ，５ｂが第１及び第２の開口部２４，４４を閉塞する方向に回動付勢されている。この付勢部材４８は、一端がローテーションホイール４のリング部４３に形成された係止片４８ａに係止され、他端が図４に示す上シェル６の内面に形成された係止突起４８ｂに係止されている。そして、付勢部材４８は、ローテーションホイール４の回転に伴って伸縮するが、上シェル６の内面であって内周壁１１の外側に形成された立ち上がり壁と外周壁８とで形成されたガイド溝４９でガイドされ、伸縮時にカートリッジ本体２内で暴れないようにしている。また、ローテーションホイール４の外周縁にも、図７及び図８に示すように、このガイド溝４９をほぼ閉塞するフランジ部４７が形成されている。
【００３３】
以上のように構成されたローテーションホイール４は、付勢部材４８によりシャッタ板５ａ，５ｂが第１及び第２の開口部２４，４４を閉塞する方向に付勢されており、被操作部４５が記録及び／又は再生装置側のシャッタ開放ピン４１によって、シャッタ板５ａ，５ｂが第１及び第２の開口部２４，４４を開放する方向に回転される。このとき、内周壁１１は、ローテーションホイール４が回転するときのガイド壁として機能する。
【００３４】
下シェル７に形成された第１の開口部２４やローテーションホイール４に形成された第２の開口部４４を開閉するシャッタ機構を構成する一対のシャッタ板５ａ，５ｂは、図９に示すように、５ａが大きく、５ｂが５ａに対して小さく形成されている。
【００３５】
図９に示すように、大きい方の第１のシャッタ板５ａは、第１及び第２の開口部２４，４４を閉塞する第１のシャッタ部５１と、上シェル６の内面であって外周壁８と内周壁１１との間に形成された第１の支軸５２に回動支持される第１の回動支持部５３と、小さい方の第２のシャッタ板５ｂが取り付けられる第２の軸孔５４とを備える。
【００３６】
第１のシャッタ部５１は、第２の開口部４４の閉塞時にローテーションホイール４の第２の開口部４４の一側縁に位置する第１の側縁部５１ａと、第１の側縁部５１ａに連続した第２の側縁部５１ｂと、第２の側縁部５１ｂに連続した第３の側縁部５１ｃとを有する。第２の側縁部５１ｂは、第１の側縁部５１ａより内方に折曲し、第３の側縁部５１ｃは、第２の側縁部５１ｂに対して外側に折曲するように形成されている。更に、第１乃至第３の側縁部５１ａ〜５１ｃと対向する第４の側縁部５１ｄには、上シェル６や下シェル７の一方のコーナ部に形成されたボス１０，２２、ローテーションホール２６ａ、誤記録防止部材等を逃げるための波線状の逃げ部５１ｅが形成されている。
【００３７】
更に、第１のシャッタ部５１には、下シェル７側の面に、下シェル７の第１の開口部２４の周縁部に形成された凸部２７と係合する溝部５１ｆが形成されている。溝部５１ｆは、シャッタ板５ａ，５ｂが第１及び第２の開口部２４，４４を閉塞しているとき、第１の開口部２４の周縁部に形成された凸部２７と係合することで、カートリッジ本体２内に塵埃等が侵入することを防止する。
【００３８】
更に、第１のシャッタ部５１の光ディスク３側の面には、ローテーションホイール４の主面部に形成されたガイド溝５５に係合するガイド突起５１ｇが形成されている。ガイド突起５１ｇは、ローテーションホイール４のガイド溝５５に係合することで、第１のシャッタ板５ａの回動を規制する。更に、第１のシャッタ部５１には、光ディスク３側の面に、シャッタ板５ａの変位を規制する規制突起５１ｈが形成されている。規制突起５１ｈは、シャッタ板５ａ，５ｂが第１及び第２の開口部２４，４４を閉塞しているとき、光ディスク３のセンタ孔３ａの周囲の内周側非信号記録領域に対応する位置に設けられ、仮に第１のシャッタ板５ａが押されて内側に変位したときであっても、光ディスク３の信号記録領域を傷つけないようにしている。この規制突起５１ｈは、シャッタ板５ａ，５ｂが第１及び第２の開口部２４，４４を開放しているとき、ローテーションホイール４の中央よりに形成された逃げ溝５６に進入し、シャッタ板５ａの回動を阻害しないようにする。
【００３９】
シャッタ板５ａの第１の回動支持部５３は、上シェル６に形成された第１の支軸５２が挿通される第１の軸孔５３ａが形成されている。
【００４０】
以上のような第１のシャッタ板５ａに係合する第２のシャッタ板５ｂは、図９に示すように、第１のシャッタ部５１と共に、第１及び第２の開口部２４，４４を閉塞する第２のシャッタ部６１と、第１のシャッタ板５ａに形成された第２の軸孔５４に取り付けられる第２の回動支持部６２とを有する。
【００４１】
第２のシャッタ部６１は、第１のシャッタ部５１の第２の側縁部５１ｂと係合する第１の側縁部６１ａと、第１の側縁部６１ａと連続し第１のシャッタ部５１の第３の側縁部５１ｃと係合する第２の側縁部６１ｂと、第２の側縁部６１ｂの反対側に第１の側縁部６１ａと連続した第３の側縁部６１ｃとを有する。シャッタ板５ａ，５ｂが第１及び第２の開口部２４，４４を閉塞したとき、第１のシャッタ部５１の第２の側縁部５１ｂと第２のシャッタ部６１の第１の側縁部６１ａとが噛み合い、更に、第１のシャッタ部５１の第３の側縁部５１ｃと第２のシャッタ部６１の第２の側縁部６１ｂとが噛み合う。したがって、一対のシャッタ板５ａ，５ｂが第１及び第２の開口部２４，４４を閉塞しているとき、シャッタ板５ａ，５ｂは、互いに噛み合うことで、結合部より内部に塵埃等が侵入することを防止すると共に、シャッタ板５ａ，５ｂが押されたとき、撓みにくくしている。
【００４２】
また、第２のシャッタ部６１には、ローテーションホイール４に形成された第１の制御突起６３が係合される溝で構成された第１のカム部６４が形成されている。この第１のカム部６４は、第１の制御突起６３が係合することで、第２のシャッタ板５ｂの回動を制御する。第１のカム部６４は、ローテーションホイール４の外周側の幅狭な幅狭部６４ａと、ローテーションホイール４の中央よりの幅狭部６４ａより拡幅した拡幅部６４ｂとからなる。幅狭部６４ａは、第２のシャッタ板５ｂが第１及び第２の開口部２４，４４を開放する際の前半部分で第２のシャッタ板５ｂを回動させる第１の作用部であり、拡幅部６４ｂは、第１の制御突起６３が移動したとき、すなわち第２のシャッタ板５ｂが第１及び第２の開口部２４，４４を開放する際の後半部分で何も作用しない第１の非作用部となる。したがって、幅狭部６４ａは、第２のシャッタ板５ｂが第１及び第２の開口部２４，４４を開放する際の前半部分で第２のシャッタ板５ｂを回動し、第１の制御突起６３が拡幅部６４ｂに移動すると、第２のシャッタ板５ｂに対しては何も作用しない。なお、第１の作用部及び第１の非作用部は、直線的な溝の幅で形成する他、第２のカム部のように湾曲した溝で形成するようにしても良い。
【００４３】
また、第２のシャッタ部６１には、ローテーションホイール４の主面部に形成された溝で構成された第２のカム部６５に係合する第２の制御突起６６が形成されている。第２のカム部６５は、ローテーションホイール４の中央側で第１の方向に湾曲した第１の湾曲部６５ａと、ローテーションホイール４の外周側で第１の湾曲部６５ａとは反対側の第２の方向に湾曲した第２の湾曲部６５ｂとからなる。第１の湾曲部６５ａは、第２のシャッタ板５ｂが第１及び第２の開口部２４，４４を開放する際の前半部分で何も作用しない第２の非作用部であり、第２の湾曲部６５ｂは、第２のシャッタ板５ｂが第１及び第２の開口部２４，４４を開放する際の後半部分で作用する第２の作用部となる。したがって、第１の湾曲部６５ａは、第２のシャッタ板５ｂが第１及び第２の開口部２４，４４を開放する際の前半部分で何も作用せず、第２の制御突起６６が第２の湾曲部６５ｂに移動すると、すなわち第２のシャッタ板５ｂの回動の後半部分で、第２の湾曲部６５ｂは、上述の第１のカム部６４の幅狭部６４ａに代わって、第２のシャッタ板５ｂを回動する。このように、ディスクカートリッジ１は、第２のシャッタ板５ｂが第１及び第２の開口部２４，４４を開放時において、前半部分と後半部分とで作用部を分けることによって、摩耗によって塵埃等が発生することを防止するようにしている。
【００４４】
なお、上述した第１及び第２の作用部や第１及び第２の非作用部は、拡幅部や幅狭部、更に湾曲部の如何なる組み合わせで構成しても良い。
【００４５】
第２の回動支持部６２には、第２の支軸６２ａが形成され、この第２の支軸６２ａは、第１のシャッタ板５ａの第１の回動支持部５３に形成された第２の軸孔５４に挿通される。したがって、第２のシャッタ板５ｂは、ローテーションホイール４に対して回動するのではなく、第１のシャッタ板５に対して回動する。
【００４６】
次に、ローテーションホイール４の回転と一対のシャッタ板５ａ，５ｂの動作について図１０及び図１１を参照して説明する。図１０は、一対のシャッタ板５ａ，５ｂが第１及び第２の開口部２４，４４を閉塞した状態を示している。一対のシャッタ板５ａ，５ｂが第１及び第２の開口部２４，４４を閉塞しているとき、ローテーションホイール４は、付勢部材４８の付勢力により図１０中矢印Ａ方向に回動付勢された状態にあり、被操作部４５は、第１の開口部２４の一側縁に位置している。そして、第１のシャッタ部５１の第２の側縁部５１ｂと第２のシャッタ部６１の第１の側縁部６１ａとが噛み合い、更に、第１のシャッタ部５１の第３の側縁部５１ｃと第２のシャッタ部６１の第２の側縁部６１ｂとが噛み合い、結合部より内部に塵埃等が侵入することを防止すると共に、シャッタ板５ａ，５ｂが押されたとき、撓みにくくしている。
【００４７】
このとき、第１のシャッタ板５ａのガイド突起５１ｇは、ローテーションホイール４のガイド溝５５のローテーションホイール４の中央よりの一端に位置している。また、第２のシャッタ板５ｂの第１のカム部６４には、第１の制御突起６３が第１の作用部となる幅狭部６４ａに係合している。更に、第２のシャッタ板５ｂの第２の制御突起６６は、第２の非作用部となるローテーションホイール４の第２のカム部６５の第１の湾曲部６５ａに係合している。
【００４８】
そして、ローテーションホイール４は、被操作部４５で付勢部材４８の付勢力に抗して図１０中反矢印Ａ方向に回動されると、ローテーションホイール４のガイド溝５５にガイド突起５１ｇが係合された第１のシャッタ板５ａは、上シェル６の第１の支軸５２を中心にして、図１０中矢印Ｂ方向に回動する。第１のシャッタ板５ａの回動に伴って、第２のシャッタ板５ｂは、第１のシャッタ板５ａの第２の支軸６２ａを中心に、第１のシャッタ板５ａに対して矢印Ｃ方向に回動する。第２のシャッタ板５ｂの回動開始時は、ローテーションホイール４の第１の制御突起６３が係合した第１の作用部となっている第１のカム部６４の幅狭部６４ａによって回動される。なお、第２のシャッタ板５ｂの回動開始時において、第２のシャッタ板５ｂの第２の制御突起６６が係合したローテーションホイール４の第２のカム部６５の第１の湾曲部６５ａは、第２の非作用部であり、何も作用しない。
【００４９】
更に、ローテーションホイール４が反矢印Ａ方向に回動すると、図１１に示すように、ローテーションホイール４のガイド溝５５に係合したガイド突起５１ｇは、ガイド溝５５のローテーションホイール４の外周側の他端に移動する。第１のシャッタ板５ａの回動に伴って、第２のシャッタ板５ｂは、第１のシャッタ板５ａの第２の支軸６２ａを中心に、第１のシャッタ板５ａに対して図１０中矢印Ｃ方向に回動する。すると、ローテーションホイール４の第１の制御突起６３は、第１の非作用部となっている第１のカム部６４の拡幅部６４ｂに移動し、第２のシャッタ板５ｂに対して何も作用しなくなる。これに代わって、第２のシャッタ板５ｂの第２の制御突起６６は、第２の非作用部である第１の湾曲部６５ａから第２の作用部である第２の湾曲部６５ｂに移動し、第２のシャッタ板５ｂを矢印Ｃ方向に回動する。これにより、図１１に示すように、第１及び第２の開口部２４，４４は、開放され、ローテーションホイール４内に収納されている光ディスク３を内外周に亘って外部に臨ませることができる。
【００５０】
ところで、カートリッジ本体２内には、図１０及び図１１に示すように、ローテーションホイール４の回転を規制することで、シャッタ板５ａ，５ｂが第２の開口部２４，４４を閉塞した状態に保持するロック機構７１が設けられている。具体的に、図１２に示すように、このロック機構７１は、ローテーションホイール４をロックするロック部材７２を有する。ロック部材７２は、基体部７３を有し、全体が摺動性に優れた弾性材料、例えばポリアセタール樹脂で形成されている。この基体部７３には、下シェル７の内面に形成された支軸７４が挿通される軸孔７５が形成されている。また、基体部７３は、ローテーションホイール４の回動をロックするロック部７６と、記録及び／又は再生装置側のロック解除ピンとしても機能する挿入ガイドピン１００により押圧される第１のロック解除片７７と、記録及び／又は再生装置側のカートリッジ保持片１０１によって押圧される第２のロック解除片７８と、付勢部材の一端が係止される係止片７９とが形成されている。このロック部材７２は、下シェル７の背面側に形成されたアライメントホール２６ｂ側の挿入ガイド溝２５ｂ近傍に配設される。ロック部材７２は、下シェル７の支軸７４に軸孔７５が挿通されることにより下シェル７に取り付けられる。
【００５１】
図１２に示すように、ロック部材７２は、下シェル７の支軸７４を軸孔７５に挿通することにより回動可能に取り付けられる。このとき、ロック部７６は、内側、すなわちローテーションホイール４の外周部を向き、第１のロック解除片７７は、挿入ガイド溝２５ｂ内に、挿入ガイド溝２５ｂを構成する立ち上がり壁に形成された逃げ孔８０より臨まされ、第２のロック解除片７８は、カートリッジ本体２のガイド溝１５ｂに形成された切欠部８１より外部に臨まされる。
【００５２】
ロック部材７２が取り付けられる支軸７４の近傍には、更に、ロック部材７２を一方向に付勢する捻りコイルバネ等の付勢部材８２が取り付けられる取付ピン８３が形成されている。この付勢部材８２は、コイル部８２ａの両側に第１のアーム部８２ｂと第２のアーム部８２ｃが形成されてなる。第１及び第２のアーム部８２ｂ，８２ｃは、先端部が互いに逆向きとなるように略９０度に折曲され、第１の係止部８２ｄ及び第２の係止部８２ｅとなっている。このような付勢部材８２は、第１のアーム部８２ｂと第２のアーム部８２ｃとを、互いに離間する開方向に付勢している。この取付ピン８３には、付勢部材８２のコイル部８２ａが巻挿される。取付ピン８３に取り付けられた付勢部材８２は、一方の第１のアーム部８２ｂの第１の係止部８２ｄがロック部材７２の係止片７９に係止され、他方の第２のアーム部８２ｃの第２の係止部８２ｅが下シェル７のボス２２の近傍に係止されることにより、ロック部材７２を、第１のロック解除片７７が挿入ガイド溝２５ｂの開口端側に位置し、第２のロック解除片７８がガイド溝１５ｂの切欠部８１に臨むように、ロック状態となる図１０中矢印Ｄ方向に付勢する。なお、係止片７９は、下シェル７の内面との間に付勢部材８２の第１のアーム部８２ｂが延在するように薄肉部７９ａとなっている。
【００５３】
基体部７３のロック部７６は、ローテーションホイール４の外周部より僅かに内方に位置する。ローテーションホイール４には、外周部よりやや内側に、基体部７３より突出したロック部７６が係合するロック溝８４が形成されている。このロック溝８４には、内側に、係合凹部８５が形成されている。ロック部７６は、この係合凹部８５に係合することによって、ローテーションホイール４の回転をロックする。このロック溝８４は、図１３に示すように、ローテーションホイール４の光ディスク３が収納される側の面であって、リング部４３の基端部に形成された光ディスク３の外周縁を支持するテーパ部４２の下側に形成され、不必要に肉厚部を設けないようにしている。
【００５４】
ここで、以上のようなロック機構７１の組立手順について説明すると、先ず、下シェル７の取付ピン８３に付勢部材８２のコイル部８２ａが巻挿される。ここで、付勢部材８２は、第１のアーム部８２ｂと第２のアーム部８２ｃとを、互いに離間する開方向に付勢している。このため、コイル部８２ａが取付ピン８３に巻挿されると、図１４中点線で示すように、一方の第１のアーム部８２ｂは、下シェル７の第１の開口部２４近傍の外周壁２１に突き当てられ、他方の第２のアーム部８２ｃは、ボス２２の近傍の外周壁２１に突き当てられることになる。この後、ロック部材７２の係止片７９に係止される付勢部材８２の第１のアーム部８２ｂは、付勢力に抗して第２のアーム部８２ｃの方向に回動され、この状態が保持される。次いで、下シェル７の支軸７４は、ロック部材７２の軸孔７５に挿通される。ロック部材７２が支軸７７に取り付けられると、図１５に示すように、付勢力に抗して第２のアーム部８２ｃの方向に回動された状態にある第１のアーム部８２ｂは、ロック部材７２の係止片７９に係止される。
【００５５】
ロック部材７２の係止片７９に係止される付勢部材８２の第１のアーム部８２ｂを、付勢力に抗して第２のアーム部８２ｃの方向に回動し、ロック部材７２の係止片７９に係止可能な状態にする操作に当たっては、図１６に示すように、第１のアーム部８２ｂの第１の係止部８２ｄに挿通する筒状の操作部材９１を用いる。図１４及び図１６に示すように、下シェル７の外周壁２１の第１の開口部２４の近傍には、第１の係止部８４ｄを捕集するための突起部９２が形成されている。この突起部９２は、第１の係止部８４ｄの回動軌跡９３と交わる位置に形成されている。したがって、第１のアーム部８４ｂは、第１の開口部２４の近傍の外周壁２１に近接する方向に回動付勢されるが、突起部９２によって、外周壁２１との間に間隙９４が形成されることになり、筒状の操作部材９１は、第１の開口部２４の近傍の外周壁２１に近接する方向に回動付勢されている第１の係止部８４ｄを容易に捕集することができる。
【００５６】
すなわち、図１７に示すように、突起部９２が形成されていない場合は、第１の係止部８４ｃ外周壁２１に回動付勢された状態で接触しており、操作部材９１によって第１の係止部８４ｃを係合し捕集することができないため、生産性の向上を図ることができなかったが、図１５に示すように、突起部９２を設けた場合には、突起部９２を、操作部材９１によって容易に第１の係止部８４ｃを捕集することができ、生産性の向上を図ることができる。
【００５７】
図１０を用いて、シャッタ板５ａ，５ｂが第１及び第２の開口部２４，４４を閉塞している状態のロック機構７１を説明すると、ロック部材７２は、支軸７４を中心にして、付勢部材８２の付勢力により図１０中矢印Ｄ方向に付勢されている。このとき、ロック部７６は、内側に形成されたローテーションホイール４のロック溝８４の係合凹部８５に係合している。したがって、ローテーションホイール４は、係合凹部８５にロック部７６が係合することで回動が禁止される。また、第１のロック解除片７７は、逃げ孔８０より挿入ガイド溝２５ｂ内の前面開口端側に臨まされ、記録及び／又は再生装置側のロック解除ピンとなる挿入ガイドピン１００が押圧可能な状態になっている。
【００５８】
ディスクカートリッジ１が記録及び／又は再生装置に挿入されると、記録及び／又は再生装置のロック解除ピンとなる挿入ガイドピン１００が挿入ガイド溝２５ｂに進入する。挿入ガイドピン１００は、挿入ガイド溝２５ｂに前面側開口端から進入すると、先ず、第１のロック解除片７７を押圧する。すると、ロック部材７２は、図１０に示すように、支軸７４を中心に、付勢部材８２の付勢力に抗して、図１０中反矢印Ｄ方向に回動する。したがって、ロック部７６は、ロック溝８４内の係合凹部８５内の係合状態が解除され、ロック部７６は、ロック溝８４内をローテーションホイール４の回転に従って移動する。
【００５９】
ところで、図１、図１８及び図１９に示すように、上シェル６と下シェル７とを突き合わせ結合してなるカートリッジ本体２は、記録及び／又は再生装置への挿入方向ととなる両側面に、凹状のガイド溝１５ａ，１５ｂが形成されている。カートリッジ本体２の両側面に形成された挿入ガイド溝１５ａ，１５ｂには、前面側に、記録及び／又は再生装置側のディスクカートリッジ１を保持するカートリッジ保持片１０１が係合するローディング用凹部９６ａ，９６ｂがガイド溝１５ａ，１５ｂの深さ方向に連続して形成されている。図１９に示すように、ローディング用凹部９６ａ，９６ｂは、ガイド溝１５ａ，１５ｂに比べて幅広に形成され、記録及び／又は再生装置のカートリッジ保持片１０１が確実に係合するように形成されている。ローディング用凹部９６ａ，９６ｂは、図１８に示すように、カートリッジ本体２の前面側が、確実に記録及び／又は再生装置のカートリッジ保持片１０１が確実に装着部に引き込むことができるように、垂直面９７ａ，９７ａで形成され、底面が垂直面９７ａ，９７ａ側が最も深くなるような円弧面９７ｂ，９７ｂで形成されている。
【００６０】
図２０に示すように、ロック機構７１が設けられた側のローディング用凹部９６ｂには、底面を構成する円弧面９７ｂに、深さ方向に連続した収納凹部９９が形成されている。この収納凹部９９は、上述したロック機構７１を構成するロック部材７２の第２のロック解除片７８が臨む部分であり、上述した切欠部８１によって貫通孔となっている。また、図２１に示すように、カートリッジ本体２内の相対する内面には、収納凹部９９に連続するように係合溝９８，９８が形成されている。係合溝９８，９８は、第２のロック解除片７８の回動軌跡に合わせて凹状に形成されており、第２のロック解除片７８の各端部が係合し、隙間を無くすことによって、収納凹部９９の貫通孔より塵埃等の異物が浸入しないようにしている。そして、ロック部材７２の回動時には、係合溝９８，９８内を第２のロック解除片７８の両端部が移動する。なお、この係合溝９８，９８は、上下シェル６，７の何れか一方の内面に形成されているだけであっても良い。
【００６１】
第２のロック解除片７８は、シャッタ板５ａ，５ｂが第１及び第２の開口部２４，４４を閉塞しているとき、ロック部材７２が支軸７４を中心にして付勢部材８２の付勢力により図１０中矢印Ｄ方向に付勢されていることから、図２０に示すように、ローディング用凹部９６ｂの垂直面９７ａに寄った状態にある。
【００６２】
そして、記録及び／又は再生装置に装填されると、図２２に示すように、第２のロック解除片７８は、記録及び／又は再生装置側のカートリッジ保持片１０１がローディング用凹部９６ｂに進入することによって押圧され、図２０中矢印Ｅ方向に押圧されることになり、これに伴って、第２のロック解除片７８は、ローディング用凹部９６ｂの底面に形成された収納凹部９９に収納されることになる。このとき、第２のロック解除片７８は、完全に収納凹部９９に入り込み、ローディング用凹部９６ｂの底面部となっている円弧面９７ｂより突出しない。これによって、記録及び／又は再生装置のカートリッジ保持片１０１を大きくすることができ、ディスクカートリッジ１のローディングを確実に行うことができるようになる。
【００６３】
なお、図２３に示すように、第１のロック解除片７７によってロックが解除されたときには、収納凹部９９より僅かに突出した状態となる。
【００６４】
上述したような構成を有するディスクカートリッジ１が記録及び／又は再生装置に装着される前には、図１、図２及び図１０に示すような状態にある。すなわち、一対のシャッタ板５ａ，５ｂが第１及び第２の開口部２４，４４を閉塞しているとき、ローテーションホイール４は、付勢部材４８の付勢力により図１０中矢印Ａ方向に回動付勢された状態にあり、被操作部４５は、第１の開口部２４の一側縁に位置している。そして、第１のシャッタ部５１の第２の側縁部５１ｂと第２のシャッタ部６１の第１の側縁部６１ａとが噛み合い、更に、第１のシャッタ部５１の第３の側縁部５１ｃと第２のシャッタ部６１の第２の側縁部６１ｂとが噛み合っている。すなわち、ディスクカートリッジ１は、シャッタ板５ａ，５ｂが噛み合い、撓み変形しにくくされていると共に、シャッタ板５ａの浮き上がりが防止されていることで、カートリッジ本体２内に塵埃等の異物が侵入しないようにしている。
【００６５】
このとき、第１のシャッタ板５ａのガイド突起５１ｇは、ローテーションホイール４のガイド溝５５のローテーションホイール４の中央よりの一端に位置している。また、第２のシャッタ板５ｂの第１のカム部６４には、第１の制御突起６３が第１の作用部である幅狭部６４ａに係合している。更に、第２のシャッタ板５ｂの第２の制御突起６６は、第２の非作用部であるローテーションホイール４の第２のカム部６５の第１の湾曲部６５ａに係合している。かくして、ディスクカートリッジ１は、図２に示すように、下シェル７の第１の開口部２４を閉塞した状態となっている。また、仮に、第１のシャッタ板５ａが押されたときであっても、第１のシャッタ板５ａの規制突起５１ｈは、光ディスク３の内周側非信号記録領域に突き当たり、第１のシャッタ部５１が光ディスク３の信号記録領域に接触することもないことから、信号記録領域に傷が付くことを防止することができる。
【００６６】
また、シャッタ板５ａ，５ｂが第１及び第２の開口部２４，４４を閉塞しているとき、第１のシャッタ部５１の溝部５１ｆには、第１の開口部２４の周縁部に形成された凸部２７が係合され、カートリッジ本体２内に塵埃等が侵入することを防止している。
【００６７】
また、ロック機構７１について説明すると、図１０に示すように、ロック部材７２は、支軸７４を中心にして、付勢部材８２の付勢力により図１０中矢印Ｄ方向に付勢されている。このとき、ロック部７６は、内側に形成されたローテーションホイール４のロック溝８４の係合凹部８５に係合している。したがって、ローテーションホイール４は、係合凹部８５にロック部７６が係合することで回動が禁止される。また、第１のロック解除片７７は、逃げ孔８０より挿入ガイド溝２５ｂ内の前面開口端側に臨まされ、記録及び／又は再生装置側のロック解除ピンとなる挿入ガイドピン１００が押圧可能な状態になっており、第２のロック解除片７８は、ローディング用凹部９６ｂの垂直面９７ａに寄った状態にある。
【００６８】
次に、以上のように構成されたディスクカートリッジ１が記録及び／又は再生装置に装填される際の一連の動作について説明する。このディスクカートリッジ１は、上述のように特許文献１に示したような標準的な大きさのディスクカートリッジと互換性が図られており、標準的な大きさのディスクカートリッジの記録及び／又は再生が可能な記録及び／又は再生装置とディスクカートリッジ１の専用の記録及び／又は再生装置に装填することができる。そこで、先ず、標準的大きさのディスクカートリッジの記録及び／又は再生も可能な記録及び／又は再生装置に装填される場合の動作について説明する。
【００６９】
標準的大きさのディスクカートリッジの記録及び／又は再生も可能な記録及び／又は再生装置にディスクカートリッジ１を挿入する場合、ディスクカートリッジ１は、記録及び／又は再生装置に対して略円弧状に形成された前面を挿入端として挿入される。この標準的大きさのディスクカートリッジにも対応する記録及び／又は再生装置に挿入されると、先ず、図２４に示すように、この記録及び／又は再生装置の装着部に形成された一対の挿入ガイドピン１００が挿入される。ここで、図６に示すように、挿入ガイド溝２５ａ，２５ｂは、前面開口端側が最も幅広に形成されていることから、ディスクカートリッジ１を装着部の所定位置に確実にガイドすることができる。そして、装着部に装着される直前で、記録及び／又は再生装置側の挿入ガイドピン１００，１００が挿入ガイド溝２５ａ，２５ｂに係合することによって装着部に位置決めされる。具体的に、挿入ガイド溝２５ａには、この挿入ガイド溝２５ａの幅と略同じ太さの挿入ガイドピン１００が最奥部に突き当て係合されることで、装着面内の互いに直交するＸ方向及びＹ方向の位置決めがされる。また、挿入ガイド溝２５ｂには、仮に挿入ガイド溝２５ｂの幅より細い挿入ガイドピン１００が最奥部に突き当てられ係合されても、少なくとも挿入ガイド溝２５ａに係合した挿入ガイドピン１００と共同して装着面内における回転方向の位置決めがされる。このように、ディスクカートリッジ１は、記録及び／又は再生装置の装着部に装着されると、挿入ガイド溝２５ａ，２５ｂに挿入ガイドピン１００，１００が係合することによって、装着面におけるより確実な位置決めがされる。
【００７０】
なお、この記録及び／又は再生装置では、ディスクカートリッジ１のカートリッジ本体２の底面に設けられたロケーションホール２６ａとアライメントホール２６ｂは使用されない。また、記録及び／又は再生装置では、ディスクカートリッジ１が装着部に装着されると、図示しない検出スイッチ等の検出部で挿入ガイド溝２５ａを検出することによって、記録フォーマットの合致したディスクカートリッジ１が装着されたと判断することができる。
【００７１】
そして、ディスクカートリッジ１が装着部に装着されると、挿入ガイド溝２５ｂに前面側開口端から進入した挿入ガイドピン１００は、ロック解除ピンとして機能し、第１のロック解除片７７を押圧する。すると、ロック部材７２は、図１０に示すように、支軸７４を中心に、付勢部材８２の付勢力に抗して、図１０中反矢印Ｄ方向に回動する。したがって、ロック部７６は、ロック溝８４内の係合凹部８５内の係合状態が解除され、ローテーションホイール４は、回転可能な状態になる。
【００７２】
なお、ディスクカートリッジ１の専用の記録及び／又は再生装置に略円弧状に形成された前面を挿入端として挿入されたときには、図２５に示すように、前面の挿入ガイド溝２５ａ，２５ｂに、挿入ガイドピン１００は挿入されず、挿入ガイド溝２５ａ，２５ｂによって装着部に位置決めされるのではなく、カートリッジ本体２の底面に設けられたロケーションホール２６ａとアライメントホール２６ｂに位置決めピン１０２が係合されることによって装着部に装着されることになる。そして、記録及び／又は再生装置側のカートリッジ保持片１０１がローディング用凹部９６ｂに進入することによって第２のロック解除片７８を押圧し、ロック部材７２は、図１０に示すように、支軸７４を中心に、付勢部材８２の付勢力に抗して、図１０中反矢印Ｄ方向に回動し、ロックを解除することになる。
【００７３】
何れの記録及び／又は再生装置に装填された場合であっても、ロック機構７１のロックが解除されると、次いで、ローテーションホイール４は、被操作部４５に記録及び／又は再生装置側のシャッタ開放ピン４１が係合され、このシャッタ開放ピン４１によって、付勢部材４８の付勢力に抗して図１０中反矢印Ａ方向に回動される。すると、ローテーションホイール４のガイド溝５５にガイド突起５１ｇが係合された第１のシャッタ板５ａは、上シェル６の第１の支軸５２を中心にして、図１０中矢印Ｂ方向に回動する。第１のシャッタ板５ａの回動に伴って、第２のシャッタ板５ｂは、第１のシャッタ板５ａの第２の支軸６２ａを中心に、第１のシャッタ板５ａに対して図１０中矢印Ｃ方向に回動する。第２のシャッタ板５ｂの回動開始時は、ローテーションホイール４の第１の制御突起６３が係合した第１の作用部となっている第１のカム部６４の幅狭部６４ａによって回動される。なお、第２のシャッタ板５ｂの回動開始時において、第２のシャッタ板５ｂの第２の制御突起６６が係合したローテーションホイール４の第２のカム部６５の第１の湾曲部６５ａは、第２の非作用部となっており、何も作用しない。
【００７４】
更に、ローテーションホイール４が図１０中反矢印Ａ方向に回動すると、図１１に示すように、ローテーションホイール４のガイド溝５５に係合したガイド突起５１ｇは、ガイド溝５５のローテーションホイール４の外周側の他端に移動する。第１のシャッタ板５ａの回動に伴って、第２のシャッタ板５ｂは、第１のシャッタ板５ａの第２の支軸６２ａを中心に、第１のシャッタ板５ａに対して図１１中矢印Ｂ方向に回動する。すると、ローテーションホイール４の第１の制御突起６３は、第１の作用部となっている第１のカム部６４の拡狭部６４ａから第１の非作用部となっている第１のカム部６４の拡幅部６４ｂに移動し、第２のシャッタ板５ｂに対しても作用しなくなる。これに代わって、第２のシャッタ板５ｂの第２の制御突起６６は、第２の非作用部となっている第１の湾曲部６５ａから第２の作用部となっている第２の湾曲部６５ｂに移動し、第２のシャッタ板５ｂを図１１中矢印Ｃ方向に回動する。これにより、被操作部４５は、第１の開口部３４のテーパ部２４ｃにより拡幅された部分に位置し、第１及び第２の開口部２４，４４は、図２６に示すように、開放され、ローテーションホイール４内に収納されている光ディスク３を内外周に亘って外部に臨ませることができる。
【００７５】
第１及び第２の開口部２２，４４が開放されると、ローテーションホイール４内に回転可能に収納されている光ディスク３は、記録及び／又は再生装置側のディスク回転駆動機構のディスクテーブルにセンタ孔３ａが係合すると共に、上シェル６に設けられたクランピングプレート１３とディスクテーブルによって挟持され、ディスクテーブルによって回転可能な状態になる。
【００７６】
光ディスク３に情報信号を記録し、また、光ディスク３に記録された情報信号を再生するときには、光ディスク３がディスクテーブルによってＣＬＶ（constant linear velocity）、ＣＡＶ（constant angular velocity）又はこれらの組み合わせで回転される。これと共に、第１及び第２の開口部２４，４４内に進入した光ピックアップは、光ディスク３の信号記録領域に半導体レーザより出射された波長が４００ｎｍ程度の光ビームを対物レンズで集光し、光ディスク３の信号記録面に照射し、この信号記録面で反射された戻りの光ビームを検出することによって、光ディスク３に情報信号を記録し、又は、光ディスク３に記録された情報信号の読み出しを行う。
【００７７】
なお、ディスクカートリッジ１が記録及び／又は再生装置より排出されると、ローテーションホイール４は、付勢部材４８の付勢力により図１１中矢印Ａ方向に回動し、図１１の状態から図１０の状態に戻る。そして、ロック部材７２のロック部７６はロック溝８４内を移動し、係合凹部８５に係合し、第１及び第２の開口部２４，４４を閉塞した状態に戻る。
【００７８】
以上のようなディスクカートリッジ１によれば、図２４に示すように、標準的な大きさのディスクカートリッジの記録及び／又は再生が可能な記録及び／又は再生装置で記録及び／又は再生を行うとき、挿入ガイド溝２５ａ，２５ｂに挿入ガイドピン１００，１００を係合させることによって、記録及び／又は再生装置の装着部における位置決めとシャッタのロック解除を行うことができる。このように、挿入ガイド溝２５ａ，２５ｂを用いて位置決めとロック解除を行うことによって、標準的な大きさのディスクカートリッジの記録及び／又は再生が可能な記録及び／又は再生装置に、カートリッジ本体２の底面に設けられたロケーションホール２６ａとアライメントホール２６ｂに係合させる位置決めピン１０２を設ける必要が無くなり、記録及び／又は再生装置の構成の簡素化を図ることができる。
【００７９】
また、図２５に示すように、ディスクカートリッジ１の専用の記録及び／又は再生装置で記録及び／又は再生を行うとき、挿入ガイド溝２５ａ，２５ｂを用いて位置決めとロック解除を行うのではなく、カートリッジ本体２の底面に設けられたロケーションホール２６ａとアライメントホール２６ｂに係合させる位置決めピン１０２を係合させることによってより正確な位置決めを行うことができる。また、ロック解除は、ディスクカートリッジ１のローディングに必要なローディング用凹部９６ｂを記録及び／又は再生装置側のカートリッジ保持片１０１に係合させる工程によって行うことができ、記録及び／又は再生装置の構成が複雑化することも防止することができる。
【００８０】
すなわち、ディスクカートリッジ１では、シャッタのロック解除を、第１のロック解除片７７と第２のロック解除片７８とによって行うことができることから、記録及び／又は再生装置の設計の自由度を増やすことができる。
【００８１】
また、このディスクカートリッジ１では、図１４及び図１６に示すように、ロック機構７１を組み立てるに当たって、突起部９２が設けられていることから、突起部９２によって、外周壁２１と第１のアーム部８４ｂの第１の係止部８４ｄとの間に間隙９４が形成されることになり、筒状の操作部材９１を、第１の開口部２４の近傍の外周壁２１に近接する方向に回動付勢されている第１の係止部８４ｄを容易に捕集することができ、生産効率の向上を図ることができる。
【００８２】
以上、本発明を適用した小型のディスクカートリッジ１を例に取り説明したが、本発明はこれに限定されるものではなく、例えば、特許文献１に示されたような標準的大きさのディスクカートリッジに適用することもできる。
【図面の簡単な説明】
【００８３】
【図１】本発明を適用したディスクカートリッジを上シェル側から見た斜視図である。
【図２】上記ディスクカートリッジを下シェル側から見た斜視図である。
【図３】上記カートリッジの分解斜視図である。
【図４】上記ディスクカートリッジを構成する上シェルの内面側から見た平面図である。
【図５】上記カートリッジを構成する下シェルの内面側から見た平面図である。
【図６】挿入ガイド溝と挿入ガイドピンとの関係を示す要部平面図である。
【図７】ローテーションホイールを光ディスクが収納される面側から見た斜視図である。
【図８】ローテーションホイールを下シェル側の面から見た斜視図である。
【図９】シャッタ板とローテーションホイールとを示す斜視図である。
【図１０】シャッタ板が開口部を閉塞した状態を下シェル及び光ディスクを除いた状態で示す平面図である。
【図１１】シャッタ板が開口部を開放した状態を下シェル及び光ディスクを除いた状態で示す平面図である。
【図１２】ロック機構の分解斜視図である。
【図１３】ローテーションホイールのテーパ部とロック溝との関係を示すローテーションホイールの要部断面図である。
【図１４】ロック機構の付勢部材の取付状態を示す下シェルの要部平面図である。
【図１５】ロック部材と付勢部材が取り付けられた状態を示す下シェルの要部平面図である。
【図１６】付勢部材の第１のアーム部の第１の係止部を捕集する状態を示す下シェルの要部斜視図である。
【図１７】下シェルの外周壁に、付勢部材の第１のアーム部の第１の係止部の補修用の突起部が設けられていない比較例となる下シェルの要部斜視図である。
【図１８】カートリッジ本体の一部切り欠き底面図である。
【図１９】カートリッジ本体の側面図である。
【図２０】ローディング用凹部の近傍のカートリッジ本体の要部底面図であり、シャッタのロック状態を示す。
【図２１】ローディング用凹部の近傍のカートリッジ本体の要部側面図である。
【図２２】ローディング用凹部の近傍のカートリッジ本体の要部底面図であり、第２のロック解除片が操作されてロックが解除された状態を示す。
【図２３】ローディング用凹部の近傍のカートリッジ本体の要部底面図であり、第１のロック解除片が操作されてロックが解除された状態を示す。
【図２４】標準的な大きさのディスクカートリッジの記録及び／又は再生が可能な記録及び／又は再生装置に位置決め装着された状態を示す平面図である。
【図２５】本発明を適用したディスクカートリッジの専用の記録及び／又は再生装置に位置決め装着された状態を示す平面図である。
【図２６】第１の開口部を開放した状態を示すディスクカートリッジの斜視図である。
【符号の説明】
【００８４】
１  ディスクカートリッジ、２  カートリッジ本体、３  光ディスク、４  ローテーションホイール、５ａ，５ｂ  シャッタ板、６  上シェル、７  下シェル、２５ａ，２５ｂ  挿入ガイド溝、２６ａ  ロケーションホール、２６ｂ  アライメントホール、４５  被操作部、７１  ロック機構、７２  ロック部材、７３  基体部、７４  支軸、７５  軸孔、７６  ロック部、７７  第１のロック解除片、７８  第２のロック解除片、７９  係止片、８２  付勢部材、８２ａ  コイル部、８２ｂ  第１のアーム部、８２ｃ  第２のアーム部、８２ｄ  第１の係止部、８２ｅ  第２の係止部、８３  取付ピン、８４  ロック溝、８５  係合凹部、９１  操作部材、９２  突起部、９３  回動軌跡、９４  間隙、９６ａ，９６ｂ  ローディング用凹部、９８  係合溝、９９  収納凹部、１００  挿入ガイドピン、１０１  カートリッジ保持片、１０２  位置決めピン
【図１】
0004682785.tif 000002
【図２】
0004682785.tif 000003
【図３】
0004682785.tif 000004
【図４】
0004682785.tif 000005
【図５】
0004682785.tif 000006
【図６】
0004682785.tif 000007
【図７】
0004682785.tif 000008
【図８】
0004682785.tif 000009
【図９】
0004682785.tif 000010
【図１０】
0004682785.tif 000011
【図１１】
0004682785.tif 000012
【図１２】
0004682785.tif 000013
【図１３】
0004682785.tif 000014
【図１４】
0004682785.tif 000015
【図１５】
0004682785.tif 000016
【図１６】
0004682785.tif 000017
【図１７】
0004682785.tif 000018
【図１８】
0004682785.tif 000019
【図１９】
0004682785.tif 000020
【図２０】
0004682785.tif 000021
【図２１】
0004682785.tif 000022
【図２２】
0004682785.tif 000023
【図２３】
0004682785.tif 000024
【図２４】
0004682785.tif 000025
【図２５】
0004682785.tif 000026
【図２６】
0004682785.tif 000027